(57)【要約】【課題】照射情報と放射線画像とを適切に関連付けて記録することを目的とする。【解決手段】発生装置から照射された放射線に対する放射線画像を管理する放射線画像管理装置であって、発生装置による放射線の照射の実施に関する照射情報を受け付ける照射情報受付手段と、発生装置による放射線の照射タイミングに関する照射タイミング情報と、放射線画像の撮影タイミングに関する撮影タイミング情報と、に基づいて、照射情報と、放射線画像とを関連付けて記憶手段に記録する関連付手段とを有する。【選択図】図１
2017038867.tif 000002
【特許請求の範囲】
【請求項１】
発生装置から照射された放射線に対する放射線画像を管理する放射線画像管理装置であって、
前記発生装置による放射線の照射の実施に関する照射情報を受け付ける照射情報受付手段と、
前記発生装置による放射線の照射タイミングに関する照射タイミング情報と、前記放射線画像の撮影タイミングに関する撮影タイミング情報と、に基づいて、前記照射情報と、前記放射線画像とを関連付けて記憶手段に記録する関連付手段と
を有することを特徴とする放射線画像管理装置。
【請求項２】
前記照射タイミング情報は、照射日時を示す情報であり、前記撮影タイミング情報は、撮影日時を示す情報であり、
前記関連付手段は、前記照射日時と前記撮影日時とに基づいて、前記照射情報と前記放射線画像とを関連付けて記録することを特徴とする請求項１に記載の放射線画像管理装置。
【請求項３】
前記照射タイミング情報は、照射順序を示す情報であり、前記撮影タイミング情報は、撮影順序を示す情報であり、
前記関連付手段は、前記照射順序と前記撮影順序とに基づいて、前記照射情報と前記放射線画像とを関連付けて記録することを特徴とする請求項１又は２に記載の放射線画像管理装置。
【請求項４】
一の照射情報と一の放射線画像の関連付指示を受け付ける指示受付手段と、
前記関連付指示に係る前記照射情報の照射タイミング情報と、前記関連付指示に係る前記放射線画像の撮影タイミング情報とのずれ量を特定するずれ量特定手段と
をさらに有し、
前記関連付手段は、前記関連付指示に係る前記照射情報と前記放射線画像とを関連付けて記録し、さらに、前記ずれ量に基づいて、前記関連付指示に係る前記照射情報に連続する他の照射情報と、前記関連付指示に係る前記放射線画像と連続して撮影された他の放射線画像と、を関連付けて記録することを特徴とする請求項１乃至３何れか１項に記載の放射線画像管理装置。
【請求項５】
前記表示装置に表示された前記放射線の照射に関する情報を光学的に撮影することにより得られた光学画像を照射情報として受け付ける光学画像受付手段をさらに有し、
前記関連付手段は、前記光学画像受付手段が受け付けた前記光学画像と前記放射線画像とを関連付けて記録することを特徴とする請求項１に記載の放射線画像管理装置。
【請求項６】
前記照射タイミング情報は、前記光学画像の撮影日時を示す情報であり、前記撮影タイミング情報は、前記放射線画像の撮影日時を示す情報であり、
前記関連付手段は、前記光学画像の前記撮影日時と、前記放射線画像の前記撮影日時とに基づいて、前記光学画像と前記放射線画像とを関連付けて記録することを特徴とする請求項５に記載の放射線画像管理装置。
【請求項７】
前記照射タイミング情報は、前記光学画像の撮影順序を示す情報であり、前記撮影タイミング情報は、前記放射線画像の撮影順序を示す情報であり、
前記関連付手段は、前記光学画像の前記撮影順序と、前記放射線画像の前記撮影順序と、に基づいて、前記光学画像と前記放射線画像とを関連付けて記録することを特徴とする請求項５に記載の放射線画像管理装置。
【請求項８】
前記光学画像を撮影する光学装置に対し、撮影指示を送信する送信手段をさらに有し、
前記受付手段は、前記撮影指示に応じて撮影された光学画像を受け付けることを特徴とする請求項５乃至７何れか１項に記載の放射線画像管理装置。
【請求項９】
前記表示装置に表示された前記放射線の照射に関する情報を光学的に撮影することにより得られた光学画像を照射情報として受け付ける光学画像受付手段と、
前記光学画像に対する文字認識処理により、前記照射情報を抽出する抽出手段と
をさらに有し、
前記関連付手段は、前記光学画像から抽出された前記照射情報を前記放射線画像に関連付けて記録することを特徴とする請求項１に記載の放射線画像管理装置。
【請求項１０】
発生装置から照射された放射線に対する放射線画像を管理する放射線画像管理装置が実行する放射線画像管理方法であって、
前記発生装置による放射線の照射の実施に関する照射情報を受け付ける照射情報受付ステップと、
前記発生装置による放射線の照射タイミングに関する照射タイミング情報と、前記放射線画像の撮影タイミングに関する撮影タイミング情報と、に基づいて、前記照射情報と、前記放射線画像とを関連付けて記憶手段に記録する関連付ステップと
を含むことを特徴とする放射線画像管理方法。
【請求項１１】
コンピュータを、
発生装置による放射線の照射の実施に関する照射情報を受け付ける照射情報受付手段と、
前記発生装置による放射線の照射タイミングに関する照射タイミング情報と、前記放射線画像の撮影タイミングに関する撮影タイミング情報と、に基づいて、前記照射情報と、前記放射線画像とを関連付けて記憶手段に記録する関連付手段と
して機能させるためのプログラム。
【発明の詳細な説明】
【技術分野】
【０００１】
本発明は、放射線画像管理装置、放射線画像管理方法及びプログラムに関する。
【背景技術】
【０００２】
近年、放射線撮影システムは様々な分野で利用されており、特に医療分野においては診断のための重要な手段の一つとなっている。すなわち、医療分野では、放射線撮影システムは、被写体を透過した放射線を放射線撮像装置によって撮像することで放射線画像を得、制御装置内で放射線画像に対して画像処理等を施した上で、表示装置に表示する。これにより、医師等は、表示装置に表示された放射線画像を用いて、診断を行うことができる。
【０００３】
さらに、放射線撮影システムにおいて、放射線撮影時の照射の実施に関する照射情報と放射線画像とを関連付けて管理することは被写体の被曝線量を把握する上で重要である。特にじん肺を患っている被写体に関しては、放射線撮影時の照射情報のうち管電流時間積を管理することが求められている。
【０００４】
放射線撮影システムでは、放射線画像を管理する制御装置に、放射線の発生装置から照射情報を送信し、制御装置が放射線画像と照射情報とを関連付けて、記憶、管理するのが望ましい。しかしながら、制御装置と発生装置の間に通信経路が存在しない場合があり、この場合には、通信経路を介した照射情報の送信は行えない。これに対し、特許文献１には、制御装置と発生装置の間に通信経路が存在しないシステムにおいて、発生装置の照射条件に替えて、量計と制御装置の間の通信経路を介して、線量計の計測結果を線制御装置に送信する技術が開示されている。
【先行技術文献】
【特許文献】
【０００５】
【特許文献１】特開２０１２−７５６６６号公報
【発明の概要】
【発明が解決しようとする課題】
【０００６】
しかしながら、線量計が測定可能な線量情報は面積線量や吸収線量や空気カーマ等に留まり、制御装置は、放射線照射時の管電圧、管電流、照射時間、管電流時間積等の撮影条件を得ることができないという問題がある。上述のように、特にじん肺を患っている被写体を撮影する際には管電流時間積を放射線画像に関連付けて管理できないことは、大きな問題となる。
【０００７】
本発明はこのような問題点に鑑みなされたもので、照射情報と放射線画像とを適切に関連付けて記録することを目的とする。
【課題を解決するための手段】
【０００８】
そこで、本発明は、発生装置から照射された放射線に対する放射線画像を管理する放射線画像管理装置であって、前記発生装置による放射線の照射の実施に関する照射情報を受け付ける照射情報受付手段と、前記発生装置による放射線の照射タイミングに関する照射タイミング情報と、前記放射線画像の撮影タイミングに関する撮影タイミング情報と、に基づいて、前記照射情報と、前記放射線画像とを関連付けて記憶手段に記録する関連付手段とを有することを特徴とする。
【発明の効果】
【０００９】
本発明によれば、照射情報と放射線画像とを適切に関連付けて記録することができる。
【図面の簡単な説明】
【００１０】
【図１】放射線撮影システムを示す図である。
【図２】照射情報の一例を示す図である。
【図３】制御装置のハードウェア構成を示す図である。
【図４】変更例に係る放射線撮影システムを示す図である。
【図５】変更例に係る照射情報の一例を示す図である。
【図６】確認画面の一例を示す図である。
【図７】第３の実施形態に係る放射線撮影システムを示す図である。
【図８】変更例に係る放射線撮影システムを示す図である。
【図９】確認画面の一例を示す図である。
【図１０】第５の実施形態に係る放射線撮影システムを示す図である。
【図１１】第６の実施形態に係る放射線撮影システムを示す図である。
【図１２】第７の実施形態に係る放射線撮影システムを示す図である。
【図１３】第８の実施形態に係る放射線撮影システムを示す図である。
【図１４】入力画面の一例を示す図である。
【図１５】変更例に係る放射線撮影システムを示す図である。
【発明を実施するための形態】
【００１１】
以下、本発明の実施形態について図面に基づいて説明する。
【００１２】
（第１の実施形態）
図１は、第１の実施形態に係る放射線撮影システム１０１を示す図である。放射線撮影システム１０１は、発生装置１０２と、撮像装置１０３と、制御装置１０４と、表示装置１０７と、線量計１０８と、を有している。発生装置１０２は、放射線を照射する。発生装置１０２は、また照射情報を保持している。ここで、照射情報は、発生装置１０２による放射線の照射の実施に関する情報であり、発生装置１０２が放射線を照射した際の照射条件に関する情報と、線量計１０８により得られる線量情報を含んでいる。ここで、照射条件は、管電圧（ｋＶ）、管電流（ｍＡ）、照射時間（ｍｓｅｃ）、管電流時間積（ｍＡｓ）等を含んでいる。線量情報は、面積線量や吸収線量や空気カーマ等を含んでいる。なお、線量計１０８と発生装置１０２は、通信経路を介して接続されており発生装置１０２は、通信経路を介して、放射線照射時の線量情報を受信するものとする。なお、照射情報は、テキストファイルのような文字情報であるものとする。また他の例としては、発生装置１０２に付属する不図示の表示装置のスクリーンショット等でもよい。なお、他の例としては、放射線撮影システム１０１は、線量計１０８を有さなくともよく、この場合には、照射情報は、発生装置１０２が放射線を照射した際の照射条件に関する情報のみで、線量情報は含まないものとする。
【００１３】
撮像装置１０３は、発生装置１０２から照射された放射線を撮像することで放射線画像を生成し、これを撮影日時及び撮影順序と共に、制御装置１０４へ送信する。ここで、撮影順序とは、連続して複数の放射線画像を撮影する際の、複数の放射線画像の撮影順序である。
【００１４】
制御装置１０４は、放射線画像記憶部１０５と、照射情報記憶部１０６と、照射情報読込部１０９と、関連付部１１０と、を有している。放射線画像記憶部１０５は、撮像装置１０３から受信した放射線画像を、放射線画像の撮影日時及び撮影順序と共に記憶する。照射情報読込部１０９は、照射情報を読み込む。関連付部１１０は、照射情報を放射線画像に関連付けて照射情報記憶部１０６に記録する。表示装置１０７は、放射線画像記憶部１０５に記憶されている放射線画像等各種情報を表示する。制御装置１０４は、放射線画像を管理する放射線画像管理装置の一例である。
【００１５】
図２は、文字情報としての照射情報の一例を示す図である。なお、本実施形態に係る発生装置１０２は、放射線画像の連続撮影に対応する、連続する一連の照射に対応する複数の照射情報を１つのファイル２００として記録している。図２の例では、照射情報２０１、照射情報２０２、・・・というように、ファイル２００には、照射順に、複数の照射情報が含まれている。各照射情報は、線量情報、撮影条件の他、照射回数や照射日時等、照射タイミングに関する照射タイミング情報を含んでいる。ここで、照射回数は、連続する照射の照射順序である。なお、照射タイミング情報は、照射情報に関連付けて照射情報とは別に管理されていてもよい。
【００１６】
図３は、制御装置１０４のハードウェア構成を示す図である。制御装置１０４は、ＣＰＵ３０１と、ＲＯＭ３０２と、ＲＡＭ３０３と、ＨＤＤ３０４と、通信部３０５とを有している。ＣＰＵ３０１は、ＲＯＭ３０２に記憶された制御プログラムを読み出して各種処理を実行する。ＲＡＭ３０３は、ＣＰＵ３０１の主メモリ、ワークエリア等の一時記憶領域として用いられる。ＨＤＤ３０４は、画像データや各種プログラム等各種情報を記憶する。通信部３０５は、ネットワークを介して外部装置との通信処理を行う。なお、後述する制御装置１０４の機能や処理は、ＣＰＵ３０１がＲＯＭ３０２又はＨＤＤ３０４に格納されているプログラムを読み出し、このプログラムを実行することにより実現されるものである。
【００１７】
以下、本実施形態に係る放射線撮影システム１０１が、放射線撮影時の照射情報と放射線画像とを関連付ける処理について説明する。本実施形態の放射線撮影システム１０１においては、発生装置１０２と制御装置１０４の間には、通信経路が存在しない。そこで、照射情報読込部１０９は、発生装置１０２が記憶している照射情報を、通信経路とは別の手段を用いて、制御装置１０４内に読み込む。照射情報読込部１０９は、別の手段として、ＵＳＢメモリ等の可搬型メディアを使用する。具体的には、発生装置１０２は、自装置に装着された可搬性メディアに照射情報をコピーする。そして、照射情報読込部１０９は、照射情報が記録された可搬性メディアが装着されると、この可搬性メディアから照射情報を読み込む。なお、照射情報読込部１０９が照射情報を読み込む方法は、これに限定されるものではない。他の例としては、制御装置１０４と光学装置７０１をＵＳＢケーブル等で接続し、照射情報読込部１０９は、ＵＳＢケーブルを介して照射情報を読み込んでもよい。本処理は、照射情報を受け付ける照射情報受付処理の一例である。
【００１８】
続いて、関連付部１１０は、照射情報読込部１０９によって読み込まれた照射情報と放射線画像記憶部１０５に記憶されている放射線画像とを関連付ける。具体的には、関連付部１１０は、照射情報読込部１０９によって照射情報が制御装置１０４へ読み込まれると、放射線画像記憶部１０５に記憶されている放射線画像へアクセスする。そして、関連付部１１０は、照射情報に記録されている照射日時と放射線画像の撮影日時とに基づいて、各照射情報と各放射線画像とを関連付けるように、照射情報を照射情報記憶部１０６に記録する（関連付処理）。
【００１９】
具体的には、関連付部１１０は、照射情報読込部１０９によって読み込まれた複数の照射情報のうち一の照射情報を処理対象として選択する。以下、処理対象の照射情報を、対象照射情報と称する。そして、関連付部１１０は、対象照射情報の照射日時と、撮影日時が一致する放射線画像を、対象照射情報と同一の照射に係る撮影画像、すなわち対象照射情報に関連する放射線画像として特定する。ここで、関連付部１１０は、両日時の差分が閾値未満である場合に、両日時が一致すると判断するものとする。
【００２０】
そして、関連付部１１０は、同一の照射に対する対象照射情報と放射線画像とを関連付けるように、対象照射情報を照射情報記憶部１０６に記録する。具体的には、関連付部１１０は、例えば、対象照射情報を、同一の照射に係る放射線画像の識別情報に対応付けて照射情報記憶部１０６に記録する。関連付部１１０は、以上の処理を、照射情報読込部１０９によって読み込まれたすべての照射情報に対して実行する。これにより、照射情報読込部１０９により読み込まれたすべての照射情報と放射線画像とを関連付けて記憶することができる。以上のように、本実施形態に係る放射線撮影システム１０１によれば、照射情報と放射線画像とを適切に関連付けて記録することができる。
【００２１】
なお、第１の変更例としては、関連付部１１０は、各照射情報を処理対象として、対応する放射線画像を特定したが、照射情報を放射線画像とを関連付けるための処理は、これに限定されるものではない。他の例としては、関連付部１１０は、各放射線画像を処理対象とし、関連する照射情報を特定することにより、照射情報と放射線画像の関連付けを行ってもよい。
【００２２】
第２の変更例について説明する。関連付部１１０は、照射情報と放射線画像とを関連付ける際に、照射日時及び撮影日時を参照したが、参照する情報はこれらの情報に限定されるものではない。すなわち、関連付部１１０は、照射タイミングに関する照射タイミング情報と、放射線画像の撮影タイミングに関する撮影タイミング情報と、を参照すればよく、その具体的な情報は、実施形態に限定されるものではない。例えば、関連付部１１０は、照射回数（照射順序）と、撮影枚数（撮影順序）とに基づいて、照射情報と放射線画像とを関連付けてもよい。関連付部１１０は、照射回数と、撮影枚数とが一致する照射情報と放射線画像とが関連すると判断し、両者を関連付けるように、照射情報を照射情報記憶部１０６に記録してもよい。
【００２３】
図４は、第３の変更例に係る放射線撮影システム１０１を示す図である。第３の変更例としては、線量計１０８と制御装置１０４は、通信経路Ｎによって接続されていてもよい。この場合、制御装置１０４は、線量情報については、放射線画像との関連付けを自動で行うことができる。ここで通信経路Ｎとして、ＴＣＰ等の一般的なネットワークプロトコルや、ＲＳ２３２Ｃ等のシリアル通信プロトコルを使用することができるが、これらに限定されるものではない。
【００２４】
本変更例においては、制御装置１０４は、線量情報については、通信経路Ｎを介して受信することとし、線量情報以外の照射条件を照射情報として受け付ければよい。図５は、照射情報の一例を示す図である。ファイル５００に含まれる各照射情報５０１，５０２は、線量情報を含まない。この点で、本例の照射情報は、第１の実施形態に係る照射情報（図２）と異なっている。本変更例に係る関連付部１１０は、通信経路Ｎを介して受信した線量情報を放射線画像に関連付けて、自動的に照射情報記憶部１０６に記録する。そして、関連付部１１０は、照射情報（照射条件）については、実施形態において説明したのと同様の関連付処理により、放射線画像に関連付けて照射情報記憶部１０６に記録する。
【００２５】
（第２の実施形態）
次に、第２の実施形態に係る放射線撮影システム１０１について説明する。第２の実施形態に係る放射線撮影システム１０１は、ユーザ操作に応じて、照射日時と撮影日時のずれ量を補正した上で、照射情報に関連する放射線画像を特定する。以下、第２の実施形態に係る放射線撮影システム１０１について、第１の実施形態に係る放射線撮影システム１０１と異なる点について説明する。
【００２６】
図６は、表示装置１０７に表示される確認画面の一例を示す図である。関連付部１１０は、照射情報読込部１０９によって照射情報が制御装置１０４へ読み込まれると、放射線画像記憶部１０５に記憶されている放射線画像へアクセスし、確認画面６０１を表示する。確認画面６０１には、照射情報一覧６０２と、放射線画像一覧６０３とが表示されている。照射情報一覧６０２には、照射情報読込部１０９により読み込まれた、連続する複数の照射情報が表示されている。放射線画像一覧６０３には、放射線画像記憶部１０５に記憶されている放射線画像及び撮影回数、撮影日時等、放射線画像に付随する情報が表示されている。ユーザは、これらの情報を参照し、関連付ける照射情報と放射線画像を選択する。なお、確認画面６０１における選択操作としては、マウス等のポインティングデバイスを使用した操作、表示装置１０７の画面上を直接触れることよる操作等が可能であるが、これに限定されるものではない。
【００２７】
例えば、照射情報一覧６０２の１行目と放射線画像一覧６０３の１行目とが選択され、ＯＫボタン６０４が押下されたとする。この場合、関連付部１１０は、関連付指示を受け付ける（指示受付処理）。ここで、関連付指示は、関連付けの対象として、ユーザにより選択された照射情報及び放射線画像それぞれの識別情報を含んでいる。関連付部１１０は、関連付指示に係る照射情報と放射線画像とを関連付けるように、照射情報を照射情報記憶部１０６に記録する。さらに、関連付部１１０は、関連付指示に係る照射情報に含まれる照射日時と、放射線画像の撮影日時のずれ量を特定する（ずれ量特定処理）。
【００２８】
そして、関連付部１１０は、このずれ量を補正した上で、関連付指示に係る照射情報以外の他の照射情報と、関連付指示に係る放射線画像以外の他の放射線画像の関連付けを行う。例えば、図６の照射情報一覧６０２の１行目の照射情報の照射日時と、放射線画像一覧６０３の１行目の放射線画像の撮影日時では、約１２分のずれが生じている。この場合、関連付部１１０は、他の放射線画像（ここでは、２行目以降の放射線画像）の撮影日時それぞれから１２分を減じた日時を補正日時として得る。そして、関連付部１１０は、他の照射情報から対象照射情報を選択し、対象照射情報の照射日時と、補正日時が一致する放射線画像を、関連する放射線画像として特定する。
【００２９】
以上のように、第２の実施形態に係る放射線撮影システム１０１においては、発生装置１０２で管理されている日時と制御装置１０４で管理されている日時との間にずれが生じている場合であっても、照射情報と放射線画像とを適切に関連付けることができる。
【００３０】
第２の実施形態に係る放射線撮影システム１０１のこれ以外の構成及び処理は、第１の実施形態に係る放射線撮影システム１０１の構成及び処理と同様である。第２の実施形態に係る放射線撮影システム１０１も、第１の実施形態の第２の変更例で説明したように、照射日時と撮影日時とに替えて、照射回数と撮影枚数とに基づいて、照射情報と放射線画像の関連付けを行うことができることは言うまでもない。例えば、図６に示す照射情報一覧６０２の２行目の照射情報と放射線画像一覧６０３の１行目の放射線画像が選択され、ＯＫボタン６０４が押下されたとする。この場合、関連付部１１０は、それ以降の照射回数と撮影枚数との比較においては、撮影枚数に１を加算した上で、順序の一致を判断することにより、順序のずれ量を補正すればよい。
【００３１】
第２の実施形態の変更例としては照射情報読込部１０９により読み込まれたすべての照射情報の関連付けを、ユーザ操作に応じた手動で行ってもよい。途中で関連付け作業を止めたい場合は、Ｃａｎｃｅｌボタン６０５を押下することで、確認画面６０１を非表示とすることができる。
【００３２】
（第３の実施形態）
図７は、第３の実施形態に係る放射線撮影システム１０１を示す図である。第３の実施形態に係る放射線撮影システム１０１は、光学装置７０１をさらに有している。また、制御装置１０４は、照射情報読込部１０９及び照射情報記憶部１０６に替えて、光学画像読込部７０２及び光学画像記憶部７０３を有している。光学装置７０１は、発生装置１０２に付属する表示装置（不図示）に表示される照射情報を光学的に撮影する。光学装置７０１は、一般的なデジタルカメラ等である。
【００３３】
光学画像読込部７０２は、光学装置７０１で撮影された光学画像を、光学画像の撮影日時及び撮影枚数と共に、制御装置１０４内へ読み込む。光学画像読込部７０２による読込処理は、照射情報読込部１０９による読込処理と同様であり、可搬性メディアやＵＳＢケーブル等を利用した方法が挙げられる。本処理は、光学画像を受け付ける光学画像受付処理の一例である。光学画像記憶部７０３は、光学画像読込部７０２によって読み込まれた光学画像を記憶する。
【００３４】
以下、本実施形態に係る放射線撮影システム１０１が、放射線撮影時の照射情報を示す光学画像と放射線画像とを関連付ける処理について説明する。関連付部１１０は、光学画像読込部７０２によって読み込まれた光学画像と放射線画像記憶部１０５によって記憶されている放射線画像とを関連付ける。具体的には、関連付部１１０は、光学画像読込部７０２によって光学画像が制御装置１０４へ読み込まれると、放射線画像記憶部１０５に記憶されている放射線画像へアクセスする。そして、関連付部１１０は、光学画像の撮影日時と放射線画像の撮影日時とに基づいて、各光学画像と各放射線画像とを関連付けるように、光学画像を光学画像記憶部７０３に記録する。なお、光学画像を放射線画像に関連付けて記録する処理は、照射情報を放射線画像に関連付けて記録する処理とほぼ同様である。
【００３５】
なお、第３の実施形態に係る放射線撮影システム１０１のこれ以外の構成及び処理は、他の実施形態に係る放射線撮影システム１０１の構成及び処理と同様である。このように、本実施形態に係る放射線撮影システム１０１は、光学画像を照射情報として、放射線画像に関連付けて記録することができる。
【００３６】
第３の実施形態の第１の変更例としては、関連付部１１０は、光学画像の撮影枚数（撮影順序）と、放射線画像の撮影枚数（撮影回数）とに基づいて、光学画像と放射線画像の対応関係を特定してもよい。
【００３７】
図８は、第２の変更例に係る放射線撮影システム１０１を示す図である。第２の変更例としては、線量計１０８と制御装置１０４は、通信経路Ｎによって接続されていてもよい。このため、制御装置１０４は、線量情報については、放射線画像との関連付けを自動で行うことができる。光学装置７０１は、撮影条件を示し、かつ線量情報を示さない画像を光学画像として取得する。第６の実施形態に係る関連付部１１０は、通信経路Ｎを介して受信した線量情報を放射線画像に関連付けて、自動的に光学画像記憶部７０３に記録する。そして、関連付部１１０は、光学画像（照射条件）は、他の実施形態において説明したのと同様の関連付処理により、放射線画像に関連付けて光学画像記憶部７０３に記録する。
【００３８】
（第４の実施形態）
第４の実施形態に係る放射線撮影システム１０１は、第２の実施形態に係る放射線撮影システム１０１と同様に、ユーザ操作に応じて、光学画像の撮影日時と放射線画像の撮影日時のずれ量を補正した上で、光学画像に関連する放射線画像を特定する。図９は、第４の実施形態に係る確認画面の一例を示す図である。関連付部１１０は、光学画像読込部７０２によって光学画像が制御装置１０４へ読み込まれると、放射線画像記憶部１０５に記憶されている放射線画像へアクセスし、確認画面９０１を表示装置１０７へ表示する。確認画面９０１には、光学画像一覧９０２と、放射線画像一覧６０３とが表示されている。光学画像一覧９０２には、光学画像読込部７０２により読み込まれた、複数の光学画像及び撮影回数、撮影日時等、光学画像に付随する情報が表示されている。ユーザは、これらの情報を参照し、関連付けする光学画像と放射線画像とを選択する。
【００３９】
例えば、光学画像一覧９０２の１行目と放射線画像一覧６０３の１行目とが選択され、ＯＫボタン６０４が押下されたとする。この場合、関連付部１１０は、関連付指示を受け付ける。ここで、関連付指示は、関連付けの対象として、ユーザにより選択された光学画像及び放射線画像それぞれの識別情報を含んでいる。関連付部１１０は、関連付指示に係る光学画像と放射線画像とを関連付けるように、光学画像を光学画像記憶部７０３に記録する。さらに、関連付部１１０は、関連付指示に係る光学画像の撮影日時と、放射線画像の撮影日時のずれ量を特定する。
【００４０】
そして、関連付部１１０は、このずれ量を補正した上で、関連付指示に係る光学画像以外の他の光学画像と、関連付指示に係る放射線画像以外の他の放射線画像の関連付けを行う。例えば、図９の光学画像一覧９０２の１行目の撮影日時と、放射線画像一覧６０３の１行目の撮影日時では。約３分のずれが生じている。この場合、関連付部１１０は、２行目以降の放射線画像の撮影日時それぞれに３分を足した日時を補正日時として得る。そして、関連付部１１０は、光学画像の撮影日時と、補正日時が一致する放射線画像を光学画像に関連する放射線画像として特定する。
【００４１】
以上のように、第５の実施形態に係る放射線撮影システム１０１においては、光学装置７０１で管理されている日時と制御装置１０４で管理されている日時との間にずれが生じている場合であっても、照射情報と放射線画像とを適切に関連付けることができる。
【００４２】
第４の実施形態に係る放射線撮影システム１０１のこれ以外の構成及び処理は、他の実施形態に係る放射線撮影システム１０１の構成及び処理と同様である。第４の実施形態に係る放射線撮影システム１０１も、第１の実施形態の第２の変更例で説明したように、照射日時と撮影日時とに替えて、照射回数と撮影枚数とに基づいて、照射情報と放射線画像の関連付けを行うことができることは言うまでもない。例えば、図９に示す光学画像一覧９０２の２行目の光学画像と放射線画像一覧６０３の１行目の放射線画像が選択され、ＯＫボタン６０４が押下されたとする。この場合、関連付部１１０は、それ以降の光学画像の撮影枚数と放射線画像の撮影枚数との比較においては、放射線画像の撮影枚数に１を加算した上で、順序の一致を判断することにより、順序のずれ量を補正すればよい。また、第２の実施形態において説明したのと同様に、放射線撮影システム１０１は、光学画像読込部７０２により読み込まれたすべての光学画像の関連付けを、ユーザ操作に応じた手動で行ってもよい。
【００４３】
（第５の実施形態）
図１０は、第５の実施形態に係る放射線撮影システム１０１を示す図である。第５の実施形態に係る放射線撮影システム１０１においては、制御装置１０４は、撮影指示送信部１００１を有し、光学装置７０１は、撮影指示受信部１００２を有している。撮影指示送信部１００１は、制御装置１０４が撮像装置１０３から送信される放射線画像を受信すると、撮影指示受信部１００２に対して、撮影指示を送信する（送信処理）。光学装置７０１は、撮影指示受信部１００２が撮影指示を受信すると、光学画像の撮影を実施する。
【００４４】
これにより、本実施形態においては、光学装置７０１は、放射線画像の撮影タイミングにおいて、自動的に光学画像を撮影することができる。なお、第６の実施形態に係る放射線撮影システム１０１のこれ以外の構成及び処理は、他の実施形態に係る放射線撮影システム１０１の構成及び処理と同様である。
【００４５】
第５の実施形態の変更例としては、撮影指示送信部１００１は、制御装置１０４以外の装置が有してもよい。例えば、撮像装置１０３が撮影指示送信部１００１を有してもよい。この場合、撮像装置１０３は、放射線画像を撮影するタイミングにおいて、光学装置７０１に撮影指示を送信すればよい。また、他の例としては、発生装置１０２が撮影指示送信部１００１を有してもよい。この場合、発生装置１０２は、放射線の照射タイミングにおいて、光学装置７０１に撮影指示を送信すればよい。
【００４６】
（第６の実施形態）
図１１は、第６の実施形態に係る放射線撮影システム１０１を示す図である。第６の実施形態に係る放射線撮影システム１０１においては、光学装置７０１は、第５の実施形態に係る光学装置７０１の構成に加えて、さらに光学画像送信部１１０１を有している。また、第６の実施形態に係る制御装置１０４は、第５の実施形態に係る制御装置１０４の構成に加えて、さらに光学画像受信部１１０２を有している。光学画像送信部１１０１は、撮影された光学画像を制御装置１０４に送信する。光学画像受信部１１０２は、関連付部１１０が送信した光学画像を受信する。光学画像記憶部７０３は、光学画像受信部１１０２が受信した光学画像を記憶する。
【００４７】
本実施形態においては、光学装置７０１は、放射線画像の撮影タイミングに応じて光学画像を撮影し、光学画像を撮影する度に、光学画像を制御装置１０４へ送信することができる。したがって、制御装置１０４は、光学画像の撮影日時と放射線画像の撮影日時の比較を行うことなく、放射線画像と光学画像とを受け付ける度に、関連付けながらそれぞれ放射線画像記憶部１０５及び光学画像記憶部７０３に記録することができる。なお、第６の実施形態に係る放射線撮影システム１０１のこれ以外の構成及び処理は、他の実施形態に係る放射線撮影システム１０１の構成及び処理と同様である。
【００４８】
（第７の実施形態）
図１２は、第７の実施形態に係る放射線撮影システム１０１を示す図である。本実施形態に係る放射線撮影システム１０１においては、制御装置１０４は、第３の実施形態に係る制御装置１０４の構成（図７）に加えて、照射情報抽出部１２０１をさらに有している。照射情報抽出部１２０１は、光学画像読込部７０２によって読み込まれた光学画像に対し、文字認識処理を施すことにより、照射情報を抽出する（抽出処理）。関連付部１１０は、照射情報抽出部１２０１によって抽出された照射情報を放射線画像記憶部１０５に記憶されている放射線画像と関連付けるように照射情報記憶部１０６に記録する。なお、第７の実施形態に係る放射線撮影システム１０１のこれ以外の構成及び処理は、他の実施形態に係る放射線撮影システム１０１の構成及び処理と同様である。
【００４９】
（第８の実施形態）
図１３は、第８の実施形態に係る放射線撮影システム１０１を示す図である。本実施形態に係る放射線撮影システム１０１においては、制御装置１０４は、第１の実施形態に係る制御装置１０４の構成（図４）のうち、照射情報読込部１０９に替えて、入力要求部１３０１を有している。入力要求部１３０１は、制御装置１０４が撮像装置１０３から放射線画像を受信すると、表示装置１０７に照射情報を入力するための入力画面を表示する。図１４は、入力画面の一例を示す図である。ユーザは、不図示の発生装置１０２に付属する表示装置に表示される照射情報を確認しながらそれぞれの照射情報を入力画面１４０１に入力する。入力された照射情報は、関連付部１１０によって放射線画像と関連付けするように照射情報記憶部１０６へ記憶される。なお、第８の実施形態に係る放射線撮影システム１０１のこれ以外の構成及び処理は、他の実施形態に係る放射線撮影システム１０１の構成及び処理と同様である。
【００５０】
図１５は、第１の変更例に係る放射線撮影システム１０１を示す図である。第１の変更例においては、制御装置１０４は、第８の実施形態に係る制御装置１０４の構成に加えて、さらに検査情報確認部１５０１を有していてもよい。検査情報確認部１５０１は、撮影を実施している検査情報にじん肺情報が含まれているか否かを確認し、じん肺情報が含まれている場合にのみ、入力要求部１３０１に入力画面１４０１の表示を指示する。これにより、じん肺を患っている被写体の撮影時にのみ、入力画面１４０１を表示することができる。
【００５１】
また、第２の変更例としては、制御装置１０４は、さらに照射情報読込部１０９を有してもよい。そして、制御装置１０４は、入力画面１４０１への入力が行われなかった場合には、照射情報読込部１０９により読み込まれた照射情報を放射線画像に関連付けて照射情報記憶部１０６に記録することとしてもよい。
【００５２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００５３】
以上、上述した各実施形態によれば、照射情報と放射線画像とを適切に関連付けて記録することができる。
【００５４】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００５５】
１０１  放射線撮影システム
１０２  発生装置
１０３  撮像装置
１０４  制御装置
１０７  表示装置
【図１】
2017038867.tif 000003
【図２】
2017038867.tif 000004
【図３】
2017038867.tif 000005
【図４】
2017038867.tif 000006
【図５】
2017038867.tif 000007
【図６】
2017038867.tif 000008
【図７】
2017038867.tif 000009
【図８】
2017038867.tif 000010
【図９】
2017038867.tif 000011
【図１０】
2017038867.tif 000012
【図１１】
2017038867.tif 000013
【図１２】
2017038867.tif 000014
【図１３】
2017038867.tif 000015
【図１４】
2017038867.tif 000016
【図１５】
2017038867.tif 000017